(57)【要約】【課題】極めて軽く把持部を握ったり、利き指数本で把持部を持つだけでもブラシがしっかりと掌や指先にフィットする感覚に優れたブラシを提供すること。【解決手段】ブラッシング用のブラシ毛を有する植毛部２０と、植毛部２０と一体にされた把持部３０とを有するロールブラシ１であって、把持部３０の外周面に三次元的凹凸部４０を有し、三次元的凹凸部４０は、複数の単位面５０と、単位面５０を画成する境界稜線６０と、境界稜線６０同士が交わってできる交叉点部７０とを有し、境界稜線６０及び交差点部７０は、単位面５０よりも相対的に外側に位置し、単位面５０は対向する交差点部７０ー７０間で滑らかに凹む凹曲面形状とされ、単位面５０は、把持部３０の周方向において隣接する単位面５０との対比で把持部３０の軸方向に相対的にずれていることを特徴とする。【選択図】図１
2007151658.tif 000002
【特許請求の範囲】
【請求項１】
ブラッシング用のブラシ毛を有する植毛部と、この植毛部と一体にされた把持部とを有するブラシであって、
この把持部の外周面に三次元的凹凸部を有し、
この三次元的凹凸部は、
複数の単位面と、
当該単位面を画成する境界稜線と、
当該境界稜線同士が交わってできる交叉点部とを有し、
前記境界稜線及び交差点部は、前記単位面よりも把持部の軸心から相対的に外側に位置し、
前記単位面は、対向する交差点部間で滑らかに凹む凹曲面形状とされると共に、前記把持部の周方向において隣接する単位面との対比で把持部の軸方向に相対的にずれていることを特徴とするブラシ。
【請求項２】
前記単位面の凹みの曲率半径は、平均的サイズの指球の曲率半径とされていることを特徴とする請求項１に記載のブラシ。
【請求項３】
前記植毛部と、前記把持部とは、螺合手段によって一体化されていることを特徴とする請求項１又は２に記載のブラシ。
【請求項４】
前記把持部には、ブラシを一時的に使用しないときに、使用者のズボンのベルトやウエスト部分の上端縁に引っ掛ける係止部が形成されていることを特徴とする請求項１〜３のいずれかに記載のブラシ。
【発明の詳細な説明】
【技術分野】
【０００１】
本発明はブラシに関する。
【背景技術】
【０００２】
理容師や美容師（以下、理・美容師）は整髪料を用いて整髪する機会が多い。このため、手指に油分が着いていると、ブラシを用いて髪を調えるスタイリングを行う場合にブラシが滑り易くなり、落としてしまう虞がある。
【０００３】
滑り防止を目的として例えば特許文献１では、滑り止め孔が複数個開設された把持部を有するブラシを開示する。しかし、把持部に滑り止め孔を開けるだけでは、把持部を握ったときに掌のうち、滑り止め孔があたる箇所においてのみ滑り効果が限定され、当該箇所にのみ圧迫が繰り返されるようになる。このため、長い間には皮膚表面の角質が硬く厚くなり、場合によってはその部分がたこになってしまう虞がある。
【０００４】
また、把持部のうち滑り止め孔の形成されている特定箇所を意識して持たないと滑り防止効果を得られない。このため、当該効果を得るためには把持部を持ち替える必要が生じる。よってそれだけ作業性が低下する。
【０００５】
そして、ブラシを極めて軽く把持したり、利き指数本でもって作業したりするようなデリケートなブラッシング作業を行う場合があるが、このとき、指先の湾曲と把持部の表面形状とが丁度良く適合していないと、作業中にブラシを落としてしまうようなことが考えられる。
【特許文献１】実開平７−３９５６９号公報
【発明の開示】
【発明が解決しようとする課題】
【０００６】
本発明はこのような実情に鑑みてなされたものであり、その解決しようとする課題は、
極めて軽く把持部を握ったり、利き指数本で把持部を持つだけでもブラシがしっかりと掌や指先にフィットする感覚に優れたブラシを提供することにある。
【課題を解決するための手段】
【０００７】
そこで本発明は、上記課題を解決するために以下の手段を採用した。
【０００８】
すなわち、本発明のブラシは、ブラッシング用のブラシ毛を有する植毛部と、この植毛部と一体にされた把持部とを有するブラシであって、この把持部の外周面に三次元的凹凸部を有し、この三次元的凹凸部は、複数の単位面と、当該単位面を画成する境界稜線と、当該境界稜線同士が交わってできる交叉点部とを有し、前記境界稜線及び交差点部は、前記単位面よりも把持部の軸心から相対的に外側に位置し、前記単位面は対向する交差点部間で滑らかに凹む凹曲面形状とされると共に、前記把持部の周方向において隣接する単位面との対比で把持部の軸方向に相対的にずれていることを特徴とする。
【０００９】
したがって本発明のブラシによれば、把持部の外表面に三次元的凹凸部が形成されているので、把持部にこのような三次元的凹凸部のないブラシに比べ、ブラシを手に取ったときに把持部表面と掌や指先との密着度合いが高い。このため、理・美容師がブラシの把持部を握ったり、又は利き指で持ったときに把持部から伝わって来るフィット感が優れているばかりかブラシが掌や指先から離れにくい。
【００１０】
前記単位面の凹みの曲率半径は、掌の平均的サイズの指球の曲率半径とされていると好適である。
【００１１】
前記植毛部と、前記把持部とは、螺合手段によって一体化するようにしてもよい。
【００１２】
前記把持部には、ブラシを一時的に使用しないときに、使用者のズボンのベルトやウエスト部分の上端縁に引っ掛ける係止部が形成されていると便利である。
【発明の効果】
【００１３】
本発明のブラシによれば、フィット感が高く、またブラシが掌や指先から離れにくいため、デリケートなブラッシング作業を行う際にブラシを介して微妙な感触が理・美容師に伝わって来る。
したがって、髪質がデリケートな人の場合でもその人に会った最適な力の入れ方でブラッシングが可能である。
また、ブラシを軽く握っていても落下しにくい。
【発明を実施するための最良の形態】
【００１４】
以下、図面を参照して本発明に係るブラシの好適な実施形態を説明する。
【実施例１】
【００１５】
図１〜図１２を参照して実施例１を説明する。
ブラシの一つであるロールブラシ（以下、ブラシ）１は、例えば合成樹脂や木材でできたものであり、植毛部２０と、この植毛部２０と一体に形成されかつ同軸で棒状をした把持部３０とを有する。
【００１６】
植毛部２０は、その横断面形状が多角形状（多辺形状）をしている（例えば図１・図８参照）。この実施例では正六角形を示す。また、植毛面２２に多数植毛されている。
【００１７】
把持部３０は、その両端を除き、外周面のほぼ全域に三次元的凹凸部４０を有する。
また、把持部３０の下端、すなわち植毛部２０に対し、ブラシ１の軸方向において反対側に位置する端部には、理・美容師がブラシ１を一時的に使用しないときに、ズボンのベルトやウエスト部分の上端縁に引っ掛ける係止部３２が一体形成されている（図１２参照）。係止部３２は、縦断面で疑問符"？"のごとき形状にされている。
【００１８】
三次元的凹凸部４０とは、図１・図２・図５・図１０等からわかるように、単位面５０と、単位面５０を多数画成する境界稜線６０と、境界稜線同士６０が交わってできる交叉点部７０とを構成要素とする立体的な凹凸部のことである。交叉点部７０は、境界稜線同士６０が線状に交叉している箇所である。なお、境界稜線６０は、把持部３０の軸（長手）方向（ブラシの軸方向）に蛇行して伸びているように見える。
【００１９】
要するに三次元的凹凸部４０は、図９に示すような、頂点ａ・ｂ・ｃ及びｄを結ぶほぼ四辺形の単位面５０が多数組み合わされてなるものである。なおこの実施形体では、単位面５０の四角形状は、図２・図５・図９に示すように、軸方向に長めの菱形状をしている。また単位面５０は、境界稜線６０を介して他の単位面５０に隣接している。
【００２０】
そして、単位面５０は、境界稜線６０を構成する一定区間ａｂ・ｂｃ・ｃｄ及びｄａによって画成された面である。これら境界稜線６０の一部である一定区間ａｂ・ｂｃ・ｃｄ及びｄａに引線された境界稜線のことをこの明細書では単位面の稜線といい、符号６０ａｂ・６０ｂｃ・６０ｃｄ及び６０ｄａで示す（図９参照）。
【００２１】
また、単位面５０の頂点ａ・ｂ・ｃ及びｄのうち、ブラシ１の軸方向において植毛部２０を上方に向けた場合における頂点ａを上方頂点ａといい、頂点ｃを下方頂点ｃといい、その場合において周方向左方に位置する頂点ｂを左方頂点ｂといい、右方に位置する頂点ｄを右方頂点ｄという。
【００２２】
上方頂点ａと下方頂点ｃとは、同一径の仮想円Ｃ１上に位置する（図１０参照）。そして、左方頂点ｂと右方頂点ｄとは、別の同一径の仮想円Ｃ２上に位置する（図１１参照）。
仮想円Ｃ１の半径ｒ１と仮想円Ｃ２の半径ｒ２とが、単位面５０の凹みの曲率半径となる。好ましくは、仮想円Ｃ１の半径ｒ１が、使用者の平均的サイズの指球（指端の腹面のこと）の長手方向における曲率半径と合致し、仮想円Ｃ２の半径ｒ２が同じく指球の幅方向における曲率半径に合致されていると好適である。
【００２３】
換言すると、単位面５０は、対向する頂点ａ−ｃ間でその中央点を最下部にして滑らかに凹み（図１０参照）、対向する頂点ｂ−ｄ間でもその中央点を最下部にして滑らかに凹んでいる（図１１参照）。なお、単位面５０のうち、頂点ａ−ｃ間で中央に位置する点と頂点ｂ−ｄ間で中央に位置する点とは同じであり、符号ｍで示す。
【００２４】
各頂点ａ〜ｄは、頂点といっても点ではなく幾分湾曲されている。よって、単位面５０を構成する単位面の稜線６０ａｂ・６０ｂｃ・６０ｃｄ・６０ｄａ、延いては境界稜線６０は、曲線と直線とからなる線といえる。
【００２５】
また、単位面の稜線６０ａｂ・６０ｂｃ・６０ｃｄ・６０ｄａ並びに頂点ａ・ｂ・ｃ・ｄは、単位面５０における実際の面となる部分、換言すれば稜線６０ａｂ・６０ｂｃ・６０ｃｄ・６０ｄａによって囲繞されている部分（以下実面部）５０’（図９〜図１１参照）よりも、把持部３０の軸心Ｃ（図１及び図８参照）から相対的に外側に位置する（凸となっている）。
【００２６】
さらに、単位面５０は、把持部３０の周方向において隣接する単位面５０と把持部３０の軸方向において対角線ａｃの長さの二分の一の長さ分、相対的にずれている（図１及び図５参照）。
【００２７】
一方、単位面の稜線６０ａｂ・６０ｂｃ・６０ｃｄ・６０ｄａは、上方頂点ａ及び下方頂点ｃの側の端で最も外方に突出し、各稜線６０ａｂ・６０ｂｃ・６０ｃｄ・６０ｄａの中間に行くに従って軸心Ｃからの距離が減少するようになっている（図８〜図１１参照）。すなわち単位面５０を軸方向に投影したときに上方頂点ａ及び下方頂点ｃとが重なり、幅方向に投影したときに左方頂点ｂ及び右方頂点ｄが重なる。
【００２８】
また、対角線ａｃは、対角線ｂｄと立体交叉し、対角線ｂｄよりも軸心Ｃから外側に位置するようになっている。このような位置関係にあることから、四辺形ａｂｃｄは、同一平面上にない面、すなわち湾曲乃至折れ曲がった面となっているといえる。
【００２９】
単位面５０としての菱形寸法は、平面で見た場合の周方向における対角線（以下、周方向対角線）ｂｄの長さをＷとし（図１１参照）、同じく平面で見た場合の軸方向における対角線（以下、軸方向対角線）ａｃの長さをＬとすると（図１０参照）、Ｗ及びＬはそれぞれ単位面を平面で見た場合その周方向における最大巾及び軸方向における最大長さとなる。
【００３０】
そして軸方向対角線ａｃの長さＬと軸方向対角線ａｃに沿った単位面５０の縦断面での実際の長さＬ’（図１０参照）とが異なること、並びに周方向対角線ｂｄの長さＷと周方
向対角線ｂｄに沿った単位面５０の横断面での実際の長さＷ’（図１１参照）とが異なることは、前述した説明から明らかである。
【００３１】
よって、単位面５０は、図８・図１０及び図１１に示すように、その断面が湾曲やＵ乃至Ｖ形状の窪みとなって表れる。
したがって、このような単位面５０を多数有する三次元的凹凸部４０が形成されている把持部３０の横断面は、図６〜図８に示すように軸心Ｃ側に凹む凹曲辺からなるほぼ四角形状になると共に、当該四角形状断面の各頂点は、幾分、丸みが付けられている。
【００３２】
なお、単位面の具体的寸法は次の通りである。
単位面の周方向対角線長さＷ：１３ｍｍ〜１５ｍｍ
単位面の軸方向対角線長さＬ：２３ｍｍ〜２５ｍｍ
頂点ａの角度：６０°
頂点ｂの角度：１２０°
頂点ｃの角度：６０°
頂点ｄの角度：１２０°
単位面の稜線６０ａｂ・６０ｂｃ・６０ｃｄ・６０ｄａの長さ：１３〜１５ｍｍ
仮想円Ｃ１の半径ｒ１：１９ｍｍ〜２４ｍｍ
仮想円Ｃ１の半径ｒ２：１９ｍｍ〜２４ｍｍ
【００３３】
このような三次元的凹凸部４０を有する把持部３０を理・美容師が握ったり（図３参照）、又は利き指で持ったとき（図４参照）に、把持部３０から伝わって来るフィット感は優れているものといえる（なお、図３及び図４に示す複数の線は毛髪である。図３はブラシを極めて軽く把持してブラッシング作業を行う場合を示し、図４は利き指数本で作業したりするようなデリケートなブラッシング作業を行う場合を示す。）。
【００３４】
ブラシ１は、このようにフィット感に優れているので、把持部に三次元的凹凸部４０のないブラシに比べ、ブラシ１を手に取ったときに把持部３０の表面と掌（利き指）との密着度合いが高まり、ブラシ１が掌や指から滑りにくくなるので離れにくい。また、三次元的凹凸部４０を構成する多数の単位面５０は、それらの一つ一つが滑らかに凹む凹曲面形状とされているので、ブラシ１を手にしたときの感触がよく、また良く馴染む。
【００３５】
このため、デリケートなブラッシング作業を行う際にブラシ１を介して微妙な感触が理・美容師に伝わって来る。したがって、髪質がデリケートな人のブラッシングをする場合でも、その人に会った最適かつ微妙な力の入れ具合が可能である。また、ブラシ１を軽く握っていても落下しにくい。
【００３６】
さらに、単位面５０は、把持部３０の外周面のほぼ全域に多数形成されているので、把持部３０のどこを持っても滑り防止効果を奏する。この結果、把持部５０の特定箇所でなければ滑り防止効果を得られない従来のブラシに比べ、作業性が向上する。また把持部の操作によってブラシを回転するとき常に三次元的凹凸部４０と手指が接するので、掌や指先との密着度が失われることがない。
【実施例２】
【００３７】
図１３〜図１５を参照して実施例２のブラシ１１を説明する。
実施例２のブラシ１１と実施例１のブラシ１との相違点は、植毛部２０１の横断面がほぼ三角形状であること及び図面では把持部の単位面の形状がわずかに違うだけである。
よって同一部分には同一符号を付して説明を省略する。
【００３８】
ロールブラシ１１はその横断面が正三角形の３つの頂点をわずかに截頭した如き形状に
されており、当該截頭部分にも植毛されている（図１５参照）。
また、ロールブラシ１１の把持部３０１の単位面５０１は、図面では実施例１の単位面５０よりも気持ち浅めの凹部を示したが（図８及び図１５参照）、基本的に実施例１の単位面５０の各種寸法及び角度と同じ範疇にある。
【００３９】
実施例１では、境界稜線６０の交叉点部７０が線状に交叉していたが、実施例２では、図１３に示すように交叉領域７０１が点状である。
【００４０】
実施例２にあっても実施例１と同様、三次元的凹凸部４０によりロールブラシ１の把持部３０１を握ったり又は利き指で持ったときのフィット感が極めて優れているといえるので、理・美容師が把持部３０１を軽く握る場合でも、又は利き指数本でもって作業する場合でも把持部３０１が掌から離れにくい。
【００４１】
このため、デリケートなブラッシング作業を行う際に微妙な力具合による調整ができる。したがって好適なブラッシングが可能であると供に、ブラシを軽く握っていても落下しにくくすることができる。
【実施例３】
【００４２】
実施例３では、植毛部と把持部とが雄ねじ８０ａと雌ねじ８０ｂの螺合手段８０によって分離可能とされている点が実施例１及び２と異なる。この実施例３では、実施例１の場合に螺合手段８０を適用したものを例示する。
【００４３】
実施例３にあっては、実施例１及び２の作用効果に加え、三次元的凹凸部４０の凹凸の程度の異なる把持部をいくつか用意しておくことで、美・理容師が自分の掌や指先に一番最適にフィットするオリジナルのブラシにすることができる。
【図面の簡単な説明】
【００４４】
【図１】本発明に係るブラシの実施例１を示す斜視図である。
【図２】図１の側面図である。
【図３】図１のブラシをその把持部で把持している状態を示す斜視図である。
【図４】図１のブラシの把持部を親指・人差し指・中指で持っている状態を示す斜視図である。
【図５】図４の要部拡大側面図である。
【図６】図３の要部横断面図である。
【図７】図４の要部横断面図である。
【図８】図２のＶＩＩＩ−ＶＩＩＩ線拡大断面図である。
【図９】把持部の三次元的凹凸部を形成する単位面の平面図である。
【図１０】図９のＸ−Ｘ線断面図である。
【図１１】図９のＸＩ−ＸＩ線断面図である。
【図１２】本発明に係るブラシをズボンのベルト上端縁に引っ掛けている状態を示す斜視図である。
【図１３】本発明に係るブラシの実施例２を示す斜視図である。
【図１４】図１３の側面図である。
【図１５】図１４のＸＶ−ＸＶ線拡大断面図である。
【図１６】本発明に係るブラシの実施例３を示す斜視図である。
【符号の説明】
【００４５】
１  第１実施例のロールブラシ
１１  第２実施例のロールブラシ
２０  植毛部
２２  植毛面
３０  把持部
３２  係止部
４０  三次元的凹凸部
５０  単位面
５０’実面部
６０  境界稜線
７０  交叉点部
８０  螺合手段
８０ａ  雄ねじ
８０ｂ  雌ねじ
３０１  把持部
５０１  単位面
７０１  交叉領域
Ｃ１  仮想円
Ｃ２  仮想円
Ｌ  単位面の軸方向対角線長さ
Ｌ’  軸方向対角線に沿った単位面の縦断面での実際の長さ
Ｗ  単位面の周方向対角線長さ
Ｗ’  周方向対角線に沿った単位面の横断面での実際の長さ
ａ  上方頂点
ｂ  左側頂点
ｃ  下方頂点
ｄ  右側頂点
６０ａｂ  単位面の稜線
６０ｂｃ  単位面の稜線
６０ｃｄ  単位面の稜線
６０ｄａ  単位面の稜線
Ｃ  軸心
Ｃ１  仮想円
Ｃ２  仮想円
ｒ１  半径
ｒ２  半径
ａｃ  軸方向対角線
ｂｄ  周方向対角線
ｍ  頂点ａ−ｃ間での中央点及び頂点ｂ−ｄ間での中央点
【図１】
2007151658.tif 000003
【図２】
2007151658.tif 000004
【図３】
2007151658.tif 000005
【図４】
2007151658.tif 000006
【図５】
2007151658.tif 000007
【図６】
2007151658.tif 000008
【図７】
2007151658.tif 000009
【図８】
2007151658.tif 000010
【図９】
2007151658.tif 000011
【図１０】
2007151658.tif 000012
【図１１】
2007151658.tif 000013
【図１２】
2007151658.tif 000014
【図１３】
2007151658.tif 000015
【図１４】
2007151658.tif 000016
【図１５】
2007151658.tif 000017
【図１６】
2007151658.tif 000018